(57)【特許請求の範囲】
【請求項１】
コネクタと、前記コネクタと嵌合可能な相手側コネクタとを備えるコネクタ装置であって、
前記コネクタは、ハウジングと、電源端子と、検知端子とを備えており、
前記ハウジングには、軸部が形成されており、
前記電源端子及び前記検知端子は、前記ハウジングに保持されており、
前記相手側コネクタは、相手側ハウジングと、相手側電源端子と、相手側検知端子とを備えており、
前記相手側ハウジングには、相手側軸部が形成されており、
前記軸部及び前記相手側軸部の一方は回転軸であり、他方は軸受であり、
前記軸部と前記相手側軸部とを組み合わせると、前記コネクタは前記相手側コネクタに対して開位置と閉位置との間で前記回転軸の周りに回転可能であり、
前記相手側電源端子及び前記相手側検知端子は、前記相手側ハウジングに保持されており、
前記コネクタが前記開位置と前記閉位置との間にあるとき、前記コネクタは前記回転軸の軸方向と直交する上下方向において前記相手側コネクタの上側に位置しており、
前記コネクタが前記開位置にあるとき、前記電源端子は前記相手側電源端子に接続されていないと共に、前記検知端子は前記相手側検知端子に接続されておらず、
前記コネクタが前記開位置と前記閉位置との間に位置する所定位置にあるとき、前記電源端子は前記相手側電源端子に接続されている一方、前記検知端子は前記相手側検知端子に接続されておらず、
前記コネクタが前記閉位置にあるとき、前記電源端子及び前記検知端子は前記相手側電源端子及び前記相手側検知端子に夫々接続されている
コネクタ装置。
【請求項２】
請求項１記載のコネクタ装置であって、
前記電源端子及び前記検知端子は、前記ハウジングに固定されており前記ハウジングに対して相対移動できず、
前記相手側電源端子及び前記相手側検知端子は、前記相手側ハウジングに固定されており前記相手側ハウジングに対して相対移動できない
コネクタ装置。
【請求項３】
請求項１又は請求項２記載のコネクタ装置であって、
前記軸部と前記電源端子との間の距離は、前記軸部と前記検知端子との間の距離よりも短い
コネクタ装置。
【請求項４】
請求項１から請求項３までのいずれかに記載のコネクタ装置であって、
前記コネクタが前記所定位置と前記閉位置との間にあるとき、前記電源端子は、前記軸方向において前記相手側電源端子に接触する
コネクタ装置。
【請求項５】
請求項４記載のコネクタ装置であって、
前記回転軸には、前記軸方向と直交する直交面内に張り出したフランジが形成されており、
前記軸受には、前記直交面内に延びるフランジガイド部が形成されており、
前記コネクタが前記開位置と前記閉位置との間で回転するとき、前記フランジガイド部は、前記直交面内における前記フランジの移動をガイドしている
コネクタ装置。
【請求項６】
請求項４又は請求項５記載のコネクタ装置であって、
前記電源端子は、前記軸方向と直交する直交面内に延びるブレード部を有しており、
前記ブレード部は、第１面取り部と第２面取り部とを有しており、
前記コネクタが前記閉位置にあるとき、前記第１面取り部は、前記上下方向と交差しており、前記第２面取り部は、前記上下方向及び前記軸方向の双方と直交する前後方向と交差している
コネクタ装置。
【請求項７】
請求項１から請求項６までのいずれかに記載のコネクタ装置であって、
前記ハウジングには、被規制部が形成されており、
前記相手側ハウジングには、規制部が形成されており、
前記コネクタを前記閉位置から前記所定位置まで回転させると、前記被規制部が前記規制部に突き当り、前記コネクタが前記所定位置を越えて前記開位置に向けて移動することが規制される
コネクタ装置。
【請求項８】
請求項７記載のコネクタ装置であって、
前記ハウジングには、基部と、弾性変形可能なバネ部とが設けられており、
前記被規制部は、前記バネ部に支持されており、
前記バネ部には、解除部が設けられており、
前記コネクタが前記閉位置に位置しているとき、前記バネ部は、前記基部から上側に向かって延びており、前記解除部は、前記バネ部の上端に位置しており、
前記コネクタの回転の径方向において前記解除部を外側に向けて移動させて前記バネ部を弾性変形させると、前記規制部による前記被規制部の規制が解除される
コネクタ装置。
【請求項９】
請求項８記載のコネクタ装置であって、
前記相手側ハウジングには、解除阻害部が設けられており、
前記コネクタが前記閉位置にあるとき、前記解除阻害部は、前記径方向において前記解除部の内側に位置して前記解除部の操作を阻害しており、
前記コネクタが前記所定位置にあるとき、前記解除部は、前記コネクタの回転の周方向において前記解除阻害部から離れて位置しており、前記解除阻害部により阻害されることなく、操作可能である
コネクタ装置。
【請求項１０】
請求項９記載のコネクタ装置であって、
前記相手側ハウジングは、前記上下方向に延びる壁部を有しており、
前記規制部及び前記解除阻害部は、前記壁部に設けられており、
前記解除阻害部は、前記壁部の上端に位置しており、
前記コネクタが前記閉位置にあるとき、前記解除阻害部は、前記上下方向において、前記解除部と同じ高さに位置している
コネクタ装置。
【請求項１１】
請求項７から請求項１０までのいずれかに記載のコネクタ装置であって、
前記ハウジングには、付加的被規制部が形成されており、
前記相手側ハウジングには、付加的規制部が形成されており、
前記コネクタを前記開位置から前記所定位置まで回転させると、前記付加的被規制部が前記付加的規制部に突き当り、前記コネクタが前記所定位置を越えて前記閉位置に向けて移動することが規制される
コネクタ装置。
【請求項１２】
請求項１から請求項１１までのいずれかに記載のコネクタ装置であって、
前記ハウジングには、ガイド部が設けられており、
前記相手側ハウジングには、相手側ガイド部が設けられており、
前記ガイド部と前記相手側ガイド部の一方は、突起であり、他方は円弧状の溝であり、
前記コネクタを回転させる際に、前記突起が前記溝内を移動して、前記回転をガイドする
コネクタ装置。
【請求項１３】
請求項１から請求項１２までのいずれかに記載のコネクタ装置であって、
前記軸部は、前記軸受であり、
前記相手側軸部は、前記回転軸であり、
前記ハウジングには、前記軸受まで前記回転軸を誘導する誘導部が形成されており、
前記コネクタが前記開位置にあるとき、前記誘導部は、前記上下方向に沿って延びており且つ下側に向かって開口している
コネクタ装置。
【発明の詳細な説明】
【技術分野】
【０００１】
本発明はコネクタ装置に関し、特に、電気自動車やハイブリッドカーに取り付けられて、電源システムから供給される電力を中継するコネクタ装置に関する。
【背景技術】
【０００２】
この種のコネクタ装置は、例えば、特許文献１に開示されている。
【０００３】
図２０を参照すると、特許文献１に開示されたコネクタ装置９００は、コネクタ９１０と、相手側コネクタ９５０とを備えている。コネクタ９１０は、ハウジング９２０と、レバー９３０と、サブコネクタ９４０とを有している。レバー９３０は、ハウジング９２０に対して回転可能に取り付けられている。レバー９３０にはカム溝９３５が形成されている。サブコネクタ９４０は、ハウジング９２０に対して上下方向（Ｚ方向）に移動可能となるように保持されている。相手側コネクタ９５０は、相手側ハウジング９６０を有している。相手側ハウジング９６０には、カム突起９６５が形成されている。また、相手側サブコネクタ９７０は、相手側ハウジング９６０の一部として設けられている。カム溝９３５にカム突起９６５を収容した状態でレバー９３０を回転させるとコネクタ９１０を相手側コネクタ９５０に対して上下方向において相対移動させることができる。更に、レバー９３０を水平方向（Ｘ方向）に移動させると、サブコネクタ９４０と相手側サブコネクタ９７０とを嵌合させることができる。
【先行技術文献】
【特許文献】
【０００４】
【特許文献１】特開２００２−３４３１６９号公報
【発明の概要】
【発明が解決しようとする課題】
【０００５】
特許文献１のコネクタ９１０の組立工程においては、レバー９３０をハウジング９２０に対して高い精度で取り付ける必要がある。ハウジング９２０とレバー９３０との位置合わせが適切でない場合、ハウジング９２０と相手側ハウジング９６０との位置的関係とレバー９３０のカム溝９３５と相手側ハウジング９６０のカム突起９６５との位置的関係とを同時に満たすことができず、コネクタ９１０が相手側コネクタ９５０と適切に嵌合できない。
【０００６】
本発明は、コネクタと相手側コネクタとの嵌合を適切に行うことのできるコネクタ装置を提供することを目的とする。
【課題を解決するための手段】
【０００７】
本発明は、第１のコネクタ装置として、
コネクタと、前記コネクタと嵌合可能な相手側コネクタとを備えるコネクタ装置であって、
前記コネクタは、ハウジングと、電源端子と、検知端子とを備えており、
前記ハウジングには、軸部が形成されており、
前記電源端子及び前記検知端子は、前記ハウジングに保持されており、
前記相手側コネクタは、相手側ハウジングと、相手側電源端子と、相手側検知端子とを備えており、
前記相手側ハウジングには、相手側軸部が形成されており、
前記軸部及び前記相手側軸部の一方は回転軸であり、他方は軸受であり、
前記軸部と前記相手側軸部とを組み合わせると、前記コネクタは前記相手側コネクタに対して開位置と閉位置との間で前記回転軸の周りに回転可能であり、
前記相手側電源端子及び前記相手側検知端子は、前記相手側ハウジングに保持されており、
前記コネクタが前記開位置と前記閉位置との間にあるとき、前記コネクタは前記回転軸の軸方向と直交する上下方向において前記相手側コネクタの上側に位置しており、
前記コネクタが前記開位置にあるとき、前記電源端子は前記相手側電源端子に接続されていないと共に、前記検知端子は前記相手側検知端子に接続されておらず、
前記コネクタが前記開位置と前記閉位置との間に位置する所定位置にあるとき、前記電源端子は前記相手側電源端子に接続されている一方、前記検知端子は前記相手側検知端子に接続されておらず、
前記コネクタが前記閉位置にあるとき、前記電源端子及び前記検知端子は前記相手側電源端子及び前記相手側検知端子に夫々接続されている
コネクタ装置を提供する。
【０００８】
また、本発明は、第２のコネクタ装置として、第１のコネクタ装置であって、
前記電源端子及び前記検知端子は、前記ハウジングに固定されており前記ハウジングに対して相対移動できず、
前記相手側電源端子及び前記相手側検知端子は、前記相手側ハウジングに固定されており前記相手側ハウジングに対して相対移動できない
コネクタ装置を提供する。
【０００９】
また、本発明は、第３のコネクタ装置として、第１又は第２のコネクタ装置であって、
前記軸部と前記電源端子との間の距離は、前記軸部と前記検知端子との間の距離よりも短い
コネクタ装置を提供する。
【００１０】
また、本発明は、第４のコネクタ装置として、第１から第３までのいずれかのコネクタ装置であって、
前記コネクタが前記所定位置と前記閉位置との間にあるとき、前記電源端子は、前記軸方向において前記相手側電源端子に接触する
コネクタ装置を提供する。
【００１１】
また、本発明は、第５のコネクタ装置として、第４のコネクタ装置であって、
前記回転軸には、前記軸方向と直交する直交面内に張り出したフランジが形成されており、
前記軸受には、前記直交面内に延びるフランジガイド部が形成されており、
前記コネクタが前記開位置と前記閉位置との間で回転するとき、前記フランジガイド部は、前記直交面内における前記フランジの移動をガイドしている
コネクタ装置を提供する。
【００１２】
また、本発明は、第６のコネクタ装置として、第４又は第５のコネクタ装置であって、
前記電源端子は、前記軸方向と直交する直交面内に延びるブレード部を有しており、
前記ブレード部は、第１面取り部と第２面取り部とを有しており、
前記コネクタが前記閉位置にあるとき、前記第１面取り部は、前記上下方向と交差しており、前記第２面取り部は、前記上下方向及び前記軸方向の双方と直交する前後方向と交差している
コネクタ装置を提供する。
【００１３】
また、本発明は、第７のコネクタ装置として、第１から第６までのいずれかのコネクタ装置であって、
前記ハウジングには、被規制部が形成されており、
前記相手側ハウジングには、規制部が形成されており、
前記コネクタを前記閉位置から前記所定位置まで回転させると、前記被規制部が前記規制部に突き当り、前記コネクタが前記所定位置を越えて前記開位置に向けて移動することが規制される
コネクタ装置を提供する。
【００１４】
また、本発明は、第８のコネクタ装置として、第７のコネクタ装置であって、
前記ハウジングには、基部と、弾性変形可能なバネ部とが設けられており、
前記被規制部は、前記バネ部に支持されており、
前記バネ部には、解除部が設けられており、
前記コネクタが前記閉位置に位置しているとき、前記バネ部は、前記基部から上側に向かって延びており、前記解除部は、前記バネ部の上端に位置しており、
前記コネクタの回転の径方向において前記解除部を外側に向けて移動させて前記バネ部を弾性変形させると、前記規制部による前記被規制部の規制が解除される
コネクタ装置を提供する。
【００１５】
また、本発明は、第９のコネクタ装置として、第８のコネクタ装置であって、
前記相手側ハウジングには、解除阻害部が設けられており、
前記コネクタが前記閉位置にあるとき、前記解除阻害部は、前記径方向において前記解除部の内側に位置して前記解除部の操作を阻害しており、
前記コネクタが前記所定位置にあるとき、前記解除部は、前記コネクタの回転の周方向において前記解除阻害部から離れて位置しており、前記解除阻害部により阻害されることなく、操作可能である
コネクタ装置を提供する。
【００１６】
また、本発明は、第１０のコネクタ装置として、第９のコネクタ装置であって、
前記相手側ハウジングは、前記上下方向に延びる壁部を有しており、
前記規制部及び前記解除阻害部は、前記壁部に設けられており、
前記解除阻害部は、前記壁部の上端に位置しており、
前記コネクタが前記閉位置にあるとき、前記解除阻害部は、前記上下方向において、前記解除部と同じ高さに位置している
コネクタ装置を提供する。
【００１７】
また、本発明は、第１１のコネクタ装置として、第７から第１０までのいずれかのコネクタ装置であって、
前記ハウジングには、付加的被規制部が形成されており、
前記相手側ハウジングには、付加的規制部が形成されており、
前記コネクタを前記開位置から前記所定位置まで回転させると、前記付加的被規制部が前記付加的規制部に突き当り、前記コネクタが前記所定位置を越えて前記閉位置に向けて移動することが規制される
コネクタ装置を提供する。
【００１８】
また、本発明は、第１２のコネクタ装置として、第１から第１１までのいずれかのコネクタ装置であって、
前記ハウジングには、ガイド部が設けられており、
前記相手側ハウジングには、相手側ガイド部が設けられており、
前記ガイド部と前記相手側ガイド部の一方は、突起であり、他方は円弧状の溝であり、
前記コネクタを回転させる際に、前記突起が前記溝内を移動して、前記回転をガイドする
コネクタ装置を提供する。
【００１９】
また、本発明は、第１３のコネクタ装置として、第１から第１２までのいずれかのコネクタ装置であって、
前記軸部は、前記軸受であり、
前記相手側軸部は、前記回転軸であり、
前記ハウジングには、前記軸受まで前記回転軸を誘導する誘導部が形成されており、
前記コネクタが前記開位置にあるとき、前記誘導部は、前記上下方向に沿って延びており且つ下側に向かって開口している
コネクタ装置を提供する。
【発明の効果】
【００２０】
本発明のコネクタは、レバーを備えていない。その代わりに、ハウジングに対して軸部を設けると共に相手側ハウジングに相手側軸部を設け、軸部と相手側軸部とを組み合わせることにより、コネクタ自体を相手側コネクタに対して回転可能に取り付けることとしている。そのため、本発明によれば、部品点数が削減されると共に、レバーのハウジングに対する取り付け精度に起因した問題も解消される。
【図面の簡単な説明】
【００２１】
【図１】本発明の実施の形態によるコネクタ装置を示す斜視図である。
【図２】図１のコネクタ装置に含まれるコネクタを示す分解斜視図である。
【図３】図２のコネクタに含まれるハウジングを示す斜視断面図である。図示されたハウジングは、コネクタが閉位置にあるときのものである。
【図４】図１のコネクタ装置に含まれる相手側コネクタを示す分解斜視図である。
【図５】図１のコネクタ装置を示す背面図である。
【図６】図１のコネクタ装置を示す斜視図である。コネクタは開位置にある。
【図７】図５のコネクタ装置をＡ−Ａ線に沿って示す断面図である。コネクタは開位置にある。
【図８】図１のコネクタ装置を示す斜視図である。コネクタは所定位置にある。
【図９】図７に対応するコネクタ装置の断面図である。コネクタは所定位置にある。
【図１０】図８のコネクタ装置をＤ−Ｄ線に沿って示す断面図である。
【図１１】図８のコネクタ装置をＥ−Ｅ線に沿って示す断面図である。
【図１２】図５のコネクタ装置をＢ−Ｂ線に沿って示す断面図である。コネクタは所定位置にある。
【図１３】図５のコネクタ装置をＣ−Ｃ線に沿って示す断面図である。コネクタは所定位置にある。
【図１４】図１のコネクタ装置を示す斜視図である。コネクタは閉位置にある。
【図１５】図７に対応するコネクタ装置の断面図である。コネクタは閉位置にある。
【図１６】図１４のコネクタ装置をＦ−Ｆ線に沿って示す断面図である。
【図１７】図１４のコネクタ装置をＧ−Ｇ線に沿って示す断面図である。
【図１８】図１２に対応するコネクタ装置の断面図である。コネクタは閉位置にある。
【図１９】図１３に対応するコネクタ装置の断面図である。コネクタは閉位置にある。
【図２０】特許文献１のコネクタ装置を示す側面図である。
【発明を実施するための形態】
【００２２】
図１に示されるように、本発明の実施の形態によるコネクタ装置１０は、コネクタ１００と相手側コネクタ２００とを備えている。相手側コネクタ２００は、電気自動車のような対象物（図示せず）に取り付けられ、電源システム（図示せず）とモーター（図示せず）とに接続されている。コネクタ１００が相手側コネクタ２００に嵌合すると、コネクタ装置１０が電源システムとモーターとの間を接続して、電源システムから供給された電流がモーターに供給される。
【００２３】
図４に示されるように、相手側コネクタ２００は、相手側ハウジング２１０と、２つの相手側電源端子２４０と、相手側サブコネクタ２５０とを備えている。
【００２４】
図４を参照すると、相手側ハウジング２１０には、２つの相手側軸部２２０と、２つの相手側ガイド部２７０とが形成されている。本実施の形態の相手側軸部２２０は、回転軸であり、Ｙ方向において外側に突出している。この記載から理解されるように、本実施の形態において回転軸（相手側軸部２２０）の軸方向はＹ方向である。相手側軸部２２０は、軸方向において互いに離れて位置している。相手側軸部２２０には、フランジ２２２が夫々形成されている。フランジ２２２の夫々は、相手側軸部２２０の軸方向の外側の一端に位置しており、軸方向と直交する直交面内に張り出している。本実施の形態において直交面はＸＺ平面である。相手側ガイド部２７０は、突起であり、軸方向において内側に突出している。
【００２５】
図４に示されるように、相手側ハウジング２１０は、壁部２３０を有している。壁部２３０は、軸方向と直交する前後方向において後側に位置する後壁であり、軸方向及び前後方向と直交する上下方向に延びている。本実施の形態において前後方向はＸ方向である。前方は−Ｘ方向であり、後方は＋Ｘ方向である。上下方向はＺ方向である。上方は＋Ｚ方向であり、下方は−Ｚ方向である。
【００２６】
図４に示されるように、相手側ハウジング２１０の壁部２３０には、２つの規制部２３２と、１つの付加的規制部２３４と、解除阻害部２３６とが形成されている。規制部２３２と付加的規制部２３４とは、後方に突出している。図１３に示されるように、規制部２３２の下面は上下方向と直交しており、規制部２３２の上面は上下方向と斜交している。一方、図１２に示されるように、付加的規制部２３４の下面は上下方向と斜交しており、付加的規制部２３４の上面は上下方向と直交している。図４から理解されるように、解除阻害部２３６は、上下方向において、壁部２３０の上端に位置している。
【００２７】
図４に示されるように、相手側電源端子２４０は、所謂ソケットコンタクトである。図１０及び図１６に示されるように、各相手側電源端子２４０には、接点２４２が設けられている。本実施の形態の接点２４２は、少なくとも軸方向に移動可能である。図４に示されるように、相手側電源端子２４０には夫々電源ケーブル５００が接続されている。相手側電源端子２４０は、相手側ハウジング２１０に保持されており、相手側ハウジング２１０に対して相対移動できない。相手側電源端子２４０は、軸方向において互いに離れて位置している。
【００２８】
図１１に示されるように、相手側サブコネクタ２５０は、サブハウジング２５４と、２つの相手側検知端子２６０とを備えている。相手側検知端子２６０は、サブハウジング２５４に保持され固定されている。また、相手側サブコネクタ２５０は、相手側ハウジング２１０に保持され固定されている。即ち、相手側検知端子２６０は、相手側サブコネクタ２５０のサブハウジング２５４を介して、相手側ハウジング２１０に保持されており、相手側ハウジング２１０に対して相対移動できない。詳しくは、相手側検知端子２６０は、軸方向において互いに離れて位置しており、相手側検知端子２６０には、信号線５１０が夫々接続されている。図１１及び図１７に示されるように、各相手側検知端子２６０には、接点２６２が設けられている。本実施の形態の接点２６２は、少なくとも軸方向に移動可能である。
【００２９】
図２に示されるように、コネクタ１００は、ハウジング１１０と、電源端子１５０と、検知端子１６０とを備えている。
【００３０】
図２及び図７を参照すると、ハウジング１１０には、２つの軸部１２０と、２つの誘導部１２４と、２つのガイド部１７０とが形成されている。本実施の形態の軸部１２０は、軸受である。軸部１２０は、軸方向において互いに離れて位置している。軸部１２０には、フランジガイド部１２２が形成されている。フランジガイド部１２２は、直交面内に延びている。誘導部１２４は、軸部１２０に対応して設けられている。図１、図６及び図７から理解されるように、誘導部１２４は、回転軸２２０を軸部１２０まで夫々誘導するための溝であり、回転軸２２０を中心とする円座標系（以下、「特定円座標系」という）において径方向に延びている。図２に示されるように、本実施の形態の誘導部１２４は、軸方向においてハウジング１１０を貫通している。ガイド部１７０は、軸方向に凹んだ溝であり、直交面内において円弧状の形状を有している。本実施の形態のガイド部１７０は、軸方向において底を有する溝であるが、底を有さない（即ち、軸方向においてハウジング１１０を貫通している）ものであってもよい。
【００３１】
図２及び図３から理解されるように、本実施の形態のハウジング１１０には、基部１３０と、バネ部１４０と、２つの被規制部１４２と、付加的被規制部１４４と、解除部１４６とが形成されている。バネ部１４０は、逆Ｕ字状の形状を有しており、基部１３０から延びている。バネ部１４０は、弾性変形可能なものであり、被規制部１４２と付加的被規制部１４４とを支持している。解除部１４６は、バネ部１４０の端部に設けられている。解除部１４６を操作すると、バネ部１４０を弾性変形させることができ、それによって、被規制部１４２や付加的被規制部１４４を特定円座標系において少なくとも径方向に移動させることができる。
【００３２】
図２に示されるように、電源端子１５０は、２つのブレード部１５２と、それらを連結する連結部１５４とを備えている。図１０及び図１６に示されるように、電源端子１５０は、２つの相手側電源端子２４０の間を接続するためのものである。図２に示されるように、ブレード部１５２は、直交面内に延びている。ブレード部１５２のエッジはすべて面取りされており、第１面取り部１５６と第２面取り部１５８とが形成されている。図２及び図６から理解されるように、第１面取り部１５６は、少なくとも特定円座標系における周方向と交差しており、第２面取り部１５８は、少なくとも特定円座標系の径方向と交差している。図２及び図５から理解されるように、連結部１５４は、ハウジング１１０に取り付けられ保持されている。具体的には、本実施の形態の電源端子１５０は、ハウジング１１０に対して相対移動できないように固定されている。
【００３３】
図２に示されるように、検知端子１６０は、２つの接触部１６２と、それらを連結する連結部１６４とを備えている。図２、図５及び図６から理解されるように、検知端子１６０は、ハウジング１１０に保持されている。本実施の形態の検知端子１６０は、特許文献１のものとは異なり、ハウジング１１０に対して相対移動できないように固定されている。
【００３４】
図２及び図６から理解されるように、軸部１２０と電源端子１５０との間の距離は、軸部１２０と検知端子１６０との間の距離よりも短い。このため、コネクタ装置１０全体の大きさを大きくすることなく、電源端子１５０の相手側コネクタ２００に対する接続を検知端子１６０の相手側コネクタ２００に対する接続よりも先に行うことができる。
【００３５】
図１、図６、図８及び図１４から理解されるように、軸部１２０と相手側軸部２２０とを組み合わせると、コネクタ１００は相手側コネクタ２００に対して開位置と閉位置との間で回転軸（相手側軸部２２０）の周りに回転可能となる。開位置は、図６に示される位置であり、コネクタ１００は立った状態にある。閉位置は、図１４に示される位置であり、コネクタ１００は横たわった状態にある。図６、図８及び図１４から理解されるように、コネクタ１００が開位置と閉位置との間にあるとき、コネクタ１００は上下方向において相手側コネクタ２００の上側に位置している。
【００３６】
図２、図４、図７、図９及び図１５から理解されるように、コネクタ１００が開位置と閉位置との間で回転するとき、フランジガイド部１２２は、軸方向においてフランジ２２２の内側に位置していると共にフランジ２２２と対向しており、直交面内におけるフランジ２２２の移動をガイドしている。また、コネクタ１００を回転させる際には、相手側ガイド部２７０の突起がガイド部１７０の溝内を移動して、回転をガイドしている。
【００３７】
図１、図６及び図７から理解されるように、コネクタ１００は、立てた状態（長手方向を上下方向に合わせた状態）で相手側コネクタ２００の上方から上下方向に沿って相手側コネクタ２００に対して取り付けられる。このとき、誘導部１２４は、相手側軸部２２０を受容して上下方向に沿って軸部１２０までガイドする。そのため、図７に示されるように、コネクタ１００が開位置にあるとき、誘導部１２４は、上下方向に沿って延びており、下側に向かって開口している。図４及び図６から理解されるように、コネクタ１００が開位置にあるとき、電源端子１５０は相手側電源端子２４０に接続されておらず、また、検知端子１６０は相手側検知端子２６０に接続されていない。
【００３８】
図１２に示されるように、開位置と閉位置との間に位置する所定位置まで開位置からコネクタ１００を回転させると、付加的被規制部１４４が付加的規制部２３４に突き当り、コネクタ１００が所定位置を越えて閉位置に向けて移動することが一旦規制される。このとき、図１０及び図１１に示されるように、電源端子１５０は相手側電源端子２４０に接続されるが、検知端子１６０は未だ相手側検知端子２６０まで届いていない。即ち、図８から図１１までに示されるように、コネクタ１００が所定位置にあるとき、電源端子１５０は相手側電源端子２４０に接続されているが、検知端子１６０は相手側検知端子２６０に接続されていない。検知端子１６０が相手側検知端子２６０に接続されていないことから、信号線５１０間はつながっていない。そのため、電源システム（図示せず）においては、コネクタ１００が相手側コネクタ２００に対して完全に嵌合していないことを検知することができ、電源端子１５０が相手側電源端子２４０同士を物理的に接続していても電源ケーブル５００に電流を流さないよう制御できる。
【００３９】
図２及び図１０から理解されるように、電源端子１５０のブレード部１５２は、コネクタ１００が回転している間、直交面内を移動する。図９及び図１０を参照すると、フランジガイド部１２２がフランジ２２２をガイドすることから、ブレード部１５２は適切に直交面内を移動することができ、相手側電源端子２４０内まで達することができる。
【００４０】
また、ブレード部１５２が相手側電源端子２４０に接続される際、ブレード部１５２には、第１面取り部１５６のみならず第２面取り部１５８も形成されていることから、ブレード部１５２はスムーズに相手側電源端子２４０内に受容される。本実施の形態においては、電源端子１５０のブレード部１５２は、相手側電源端子２４０内において、相手側電源端子２４０の接点２４２に対して軸方向において接触している。
【００４１】
図１２を参照して上述したように、コネクタ１００が所定位置にあるとき、付加的被規制部１４４が付加的規制部２３４に突き当たっており、コネクタ１００の移動が一時的に規制されている。この状態から、規制に抗してコネクタ１００に閉位置に向けて回転移動させる力をさらに強く加えると、付加的被規制部１４４が回転の径方向における外側に向けて退避するようにバネ部１４０が弾性変形して上記規制が解除され、図１４に示すような閉位置に至ることができる。
【００４２】
図１４から図１７までに示されるように、コネクタ１００が閉位置にあるとき、電源端子１５０及び検知端子１６０は相手側電源端子２４０及び相手側検知端子２６０に夫々接続されている。そのため、電源システム（図示せず）は、コネクタ１００が相手側コネクタ２００に対して完全に嵌合したことを検知することができるので、電源ケーブル５００に対して電流を流すように制御することができる。
【００４３】
本実施の形態においては、電源端子１５０は、コネクタ１００が所定位置と閉位置との間にあるとき、相手側電源端子２４０に接続し続けている。なお、図２及び図１６から理解されるように、コネクタ１００が閉位置にあるとき、第１面取り部１５６は、上下方向と交差しており、第２面取り部１５８は、前後方向と交差している。図１６に示されるように、コネクタ１００が閉位置にあるとき、電源端子１５０は、前後方向と直交する面内（ＹＺ平面内）において、角張った逆Ｕ字状の断面形状を有している。
【００４４】
一方、図１１及び図１７から理解されるように、検知端子１６０は、コネクタ１００が閉位置に至るまで、相手側検知端子２６０には接続されておらず、コネクタ１００が閉位置に至ると、相手側検知端子２６０の接点２６２に接続される。なお、図１７に示されるように、コネクタ１００が閉位置にあるとき、検知端子１６０は、前後方向と直交する面内（ＹＺ平面内）において、角張ったＵ字状の断面形状を有している。
【００４５】
図１８及び図１９に示されるように、コネクタ１００が閉位置に位置しているとき、バネ部１４０は、基部１３０から上側に向かって延びており、解除部１４６は、バネ部１４０の上端に位置している。一方、解除阻害部２３６は、上下方向において、解除部１４６と同じ高さに位置している。解除阻害部２３６は、径方向において解除部１４６の内側に位置して解除部１４６の操作を阻害している。
【００４６】
そこでコネクタ１００を閉位置から開位置まで回転させるには、まずコネクタ１００を閉位置から図１３に示す所定位置まで回転させる。図１３から理解されるように、この状態においては被規制部１４２が規制部２３２に突き当り、コネクタ１００が所定位置を越えて開位置に向けて移動することが規制される。このとき、バネ部１４０の根元（バネ部１４０と基部１３０との境界部分）が下側にあり、解除部１４６がバネ部１４０の上端側にあることから、コネクタ１００を開位置に向けて無理に回転させようとしても被規制部１４２が規制部２３２に強く引っかかることとなり、誤って規制が解除されてしまうことを避けることができる。
【００４７】
図１３に示されるように、コネクタ１００が所定位置にあるとき、解除部１４６は、コネクタ１００の回転の周方向において解除阻害部２３６から離れて位置している。そのため、解除部１４６は、解除阻害部２３６により阻害されることなく、操作可能である。図１３から理解されるように、コネクタ１００の回転の径方向において解除部１４６を外側に向けて移動させてバネ部１４０を弾性変形させると、規制部２３２による被規制部１４２の規制が解除され、コネクタ１００を更に開位置に向けて回転させることができるようになる。ここで、コネクタ１００の回転動作において径方向における外方向は、前後方向における後方向成分と上下方向における上方向成分とに分けられる。図７、図９、図１３及び図１５から理解されるように、本実施の形態において、所定位置は、開位置よりも閉位置にかなり近い位置にあることから、コネクタ１００が所定位置にあるとき、後方向成分は、上方向成分よりもかなり大きい。そのため、図１３に示される解除部１４６を操作する際には、解除部１４６を後方に向けて移動させようとすると、規制解除を行うことができる。これによって、所定位置を越えて開位置までコネクタ１００を回転させることができる。
【００４８】
以上、本発明の実施の形態について具体的に説明してきたが、本発明はこれに限定されるわけではなく、様々に変形することができる。
【００４９】
上述した実施の形態において、軸部１２０は軸受であり、相手側軸部２２０は回転軸であったが、本発明はこれに限定されるわけではなく、軸部１２０が回転軸であり、相手側軸部２２０が軸受であってもよい。
【００５０】
また、上述した実施の形態において、ガイド部１７０は円弧状の溝であり、相手側ガイド部２７０は突起であったが、本発明はこれに限定されるわけではなく、ガイド部１７０が突起であり、相手側ガイド部２７０が溝であってもよい。
【符号の説明】
【００５１】
１０        コネクタ装置
１００        コネクタ
１１０        ハウジング
１２０        軸部（軸受）
１２２        フランジガイド部
１２４        誘導部
１３０        基部
１４０        バネ部
１４２        被規制部
１４４        付加的被規制部
１４６        解除部
１５０        電源端子
１５２        ブレード部
１５４        連結部
１５６        第１面取り部
１５８        第２面取り部
１６０        検知端子
１６２        接触部
１６４        連結部
１７０        ガイド部
２００        相手側コネクタ
２１０        相手側ハウジング
２２０        相手側軸部（回転軸）
２２２        フランジ
２３０        壁部
２３２        規制部
２３４        付加的規制部
２３６        解除阻害部
２４０        相手側電源端子
２４２        接点
２５０        相手側サブコネクタ
２５４        サブハウジング
２６０        相手側検知端子
２６２        接点
２７０        相手側ガイド部
５００        電源ケーブル
５１０        信号線
【図１】
0006663790.tif 000002
【図２】
0006663790.tif 000003
【図３】
0006663790.tif 000004
【図４】
0006663790.tif 000005
【図５】
0006663790.tif 000006
【図６】
0006663790.tif 000007
【図７】
0006663790.tif 000008
【図８】
0006663790.tif 000009
【図９】
0006663790.tif 000010
【図１０】
0006663790.tif 000011
【図１１】
0006663790.tif 000012
【図１２】
0006663790.tif 000013
【図１３】
0006663790.tif 000014
【図１４】
0006663790.tif 000015
【図１５】
0006663790.tif 000016
【図１６】
0006663790.tif 000017
【図１７】
0006663790.tif 000018
【図１８】
0006663790.tif 000019
【図１９】
0006663790.tif 000020
【図２０】
0006663790.tif 000021